(57)【要約】      （修正有）【課題】撮像装置における世界時計機能の設定時の操作性を向上させること。【解決手段】被写体を撮像し、得られた画像データを処理する撮像装置は、時刻を計時する日時制御部、操作部、画像表示部とを有する。複数のエリアを画像表示部に表示してそのいずれかを操作部により選択し、選択されたエリアをメモリに記憶し、そのエリアの時刻を設定する。複数のエリアがメモリに記憶されている場合には、設定された時刻に基づいて、複数のエリアの他のエリアの時刻を演算する。そして、操作部により複数のエリアのいずれかを選択するときに、前記時刻設定手段により設定された時刻及び前記演算手段により演算された時刻を画像表示部に同時に表示する。【選択図】図５
2007037052.tif 000002
【特許請求の範囲】
【請求項１】
被写体を撮像し、得られた画像データを処理する撮像装置であって、
時刻を計時する計時手段と、
複数のエリアのいずれかを選択する選択手段と、
前記選択手段により選択されたエリアを記憶する記憶手段と、
前記選択手段により選択されたエリアの時刻を設定する時刻設定手段と、
前記記憶手段に、複数のエリアが記憶されている場合に、前記時刻設定手段により設定された時刻に基づいて、当該複数のエリアの他のエリアの時刻を演算する演算手段と、
前記選択手段により複数のエリアのいずれかを選択するときに、前記時刻設定手段により設定された時刻及び前記演算手段により演算された時刻を表示手段に同時に表示するように制御する表示制御手段と
を有することを特徴とする撮像装置。
【請求項２】
前記表示制御手段は、前記選択手段により選択されたエリアの時刻を前記時刻設定手段により設定する場合に、当該選択されたエリアの時刻と、前記演算手段によって演算された他のエリアの時刻とを同時に表示するように制御することを特徴とする請求項１に記載の撮像装置。
【請求項３】
前記時刻設定手段により時刻が変更された場合に、前記演算手段は当該変更に応じて前記他のエリアの時刻を演算し直し、前記表示制御手段は、該演算し直した時刻を表示するように制御することを特徴とする請求項２に記載の撮像装置。
【請求項４】
前記エリア設定手段による設定時にサマータイムの有無を設定するサマータイム設定手段を更に有し、
前記演算手段は、サマータイムが設定されたエリアの時刻を調整することを特徴とする請求項１乃至３のいずれかに記載の撮像装置。
【請求項５】
前記時刻設定手段による設定時にサマータイムの有無を設定するサマータイム設定手段を更に有し、
前記演算手段は、サマータイムが設定されたエリアの時刻を調整することを特徴とする請求項１乃至３のいずれかに記載の撮像装置。
【請求項６】
前記表示制御手段は、前記サマータイムが設定されているか否かを示す情報を前記時刻と共に表示するように制御することを特徴とする請求項４または５に記載の撮像装置。
【請求項７】
前記時刻設定手段により設定可能な時刻の範囲を保持する保持手段と、
前記時刻設定手段により設定された時刻と、前記設定可能な時刻の範囲とを比較する比較手段とを更に有し、
前記比較手段は、前記時刻設定手段により設定された時刻を、設定しているエリア及びサマータイムの設定の有無に応じて調整し、当該調整した時刻と前記設定可能な時刻の範囲とを比較することを特徴とする請求項４乃至６のいずれかに記載の撮像装置。
【請求項８】
撮像時に、前記選択手段により選択されたエリアの情報及び時刻を、得られた画像データに関連づけて保存することを特徴とする請求項１乃至７のいずれかに記載の撮像装置。
【請求項９】
前記撮像により得られた画像データを、関連づけて保存されたエリアの情報及び時刻と共に前記表示手段に再生表示する再生手段を更に有することを特徴とする請求項８に記載の撮像装置。
【請求項１０】
前記選択手段により選択された、エリアの地図上の位置を設定するエリア設定手段を更に有し、
前記記憶手段は、前記選択されたエリアと、前記エリア設定手段によって設定された地図上の位置とを関連づけて記憶することを特徴とする請求項１乃至９のいずれかに記載の撮像装置。
【請求項１１】
被写体を撮像し、得られた画像データを処理する、時刻を計時する計時手段を有する撮像装置の制御方法であって、
複数のエリアを画像表示部に表示する表示ステップと、
前記表示された複数のエリアのいずれかを選択する選択ステップと、
前記選択されたエリアを記憶手段に記憶する記憶ステップと、
前記選択されたエリアの時刻を設定する時刻設定ステップと、
前記記憶手段に複数のエリアが記憶されている場合に、前記設定された時刻に基づいて、当該複数のエリアの他のエリアの時刻を演算する演算ステップとを有し、
前記表示ステップでは、前記設定された時刻及び前記演算された時刻を前記表示手段に同時に表示することを特徴とする制御方法。
【請求項１２】
前記選択ステップで選択されたエリアの時刻を前記時刻設定ステップで設定する場合に、当該選択されたエリアの時刻と、前記演算手段によって演算された他のエリアの時刻とを同時に表示するステップを更に有することを特徴とする請求項１１に記載の制御方法。
【請求項１３】
撮像時に、前記選択ステップで選択されたエリアの情報及び時刻を、得られた画像データに関連づけて保存する撮像ステップを更に有することを特徴とする請求項１１または１２に記載の制御方法。
【請求項１４】
前記撮像ステップで得られた画像データを、関連づけて保存されたエリアの情報及び時刻と共に前記表示手段に再生表示する再生ステップを更に有することを特徴とする請求項１３に記載の制御方法。
【請求項１５】
前記選択手段により選択された、エリアの地図上の位置を設定するエリア設定ステップを更に有し、
前記記憶ステップでは、前記選択されたエリアと、前記エリア設定ステップで設定された地図上の位置とを関連づけて記憶することを特徴とする請求項１１乃至１４のいずれかに記載の撮像装置。
【発明の詳細な説明】
【技術分野】
【０００１】
本発明は、撮像再生装置及びその制御方法に関するものである。
【背景技術】
【０００２】
従来、いわゆる世界時計機能が搭載されたデジタルカメラがある。この世界時計機能では、デジタルカメラの主な使用地となるユーザーの居住地と、該居住地とは時差を有する訪問先（例えば外国）など、互いに時差を有する複数地における日付や時刻を表示することができる。
【発明の開示】
【発明が解決しようとする課題】
【０００３】
しかしながら、特許文献１の世界時計機能を有するカメラでは、居住地と訪問先のエリアや日付時刻を設定する際に、居住地と訪問先それぞれの日付時刻は互いに異なる設定画面で表示されていた。例えば、エリアや日付時刻の設定を行う場合には、まず居住地と訪問先のいずれに対して設定を行うかを選択し、選択された方のエリアや日付時刻の情報のみを設定画面に表示していた。この場合、選択されない方の日付時刻は表示されない。このように、居住地の日付時刻を表示したまま訪問先のエリアや日付時刻の設定や確認したり、逆に、訪問先の日付時刻を表示したまま居住地のエリアや日付時刻の設定や確認をすることはできなかった。
【０００４】
また、サマータイムを設定するときは、エリアや日付時刻の設定画面とは別のサマータイム設定画面に移動しなければならなかった。そのため、居住地や訪問先等のエリアや日付時刻を設定する時に、サマータイムを合わせて設定することができず、使い勝手が悪かった。
【０００５】
本発明は上記問題点を鑑みてなされたものであり、撮像装置における世界時計機能の設定時の操作性を向上させることを目的とする。
【課題を解決するための手段】
【０００６】
上記目的を達成するために、被写体を撮像し、得られた画像データを処理する本発明の撮像装置は、時刻を計時する計時手段と、複数のエリアのいずれかを選択する選択手段と、前記選択手段により選択されたエリアを記憶する記憶手段と、前記選択手段により選択されたエリアの時刻を設定する時刻設定手段と、前記記憶手段に、複数のエリアが記憶されている場合に、前記時刻設定手段により設定された時刻に基づいて、当該複数のエリアの他のエリアの時刻を演算する演算手段と、前記選択手段により複数のエリアのいずれかを選択するときに、前記時刻設定手段により設定された時刻及び前記演算手段により演算された時刻を表示手段に同時に表示するように制御する表示制御手段とを有する。
【０００７】
また、被写体を撮像し、得られた画像データを処理する、時刻を計時する計時手段を有する撮像装置の本発明の制御方法は、複数のエリアを画像表示部に表示する表示ステップと、前記表示された複数のエリアのいずれかを選択する選択ステップと、前記選択されたエリアを記憶手段に記憶する記憶ステップと、前記選択されたエリアの時刻を設定する時刻設定ステップと、前記記憶手段に複数のエリアが記憶されている場合に、前記設定された時刻に基づいて、当該複数のエリアの他のエリアの時刻を演算する演算ステップとを有し、前記表示ステップでは、前記設定された時刻及び前記演算された時刻を前記表示手段に同時に表示する。
【発明の効果】
【０００８】
本発明によれば、撮像装置における世界時計機能の設定時の操作性を向上させることができる。
【発明を実施するための最良の形態】
【０００９】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００１０】
図１は、本発明の実施の形態における撮像装置の構成を示すブロック図である。なお撮像装置としては、デジタルカメラ、デジタルビデオカメラ、カメラ付き携帯端末（カメラ付き携帯電話を含む）等があり、何れであってもよい。
【００１１】
図１において、１００は撮像装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１２】
１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００１３】
２０は画像処理回路であり、Ａ／Ｄ変換器１６からのデータ或いはメモリ制御回路２２からのデータに対して所定の画素補間処理や色変換処理を行う。また、画像処理回路２０は、Ａ／Ｄ変換器１６から出力される画像データを用いて所定の演算処理を行う。そして、得られた演算結果に基づいてシステム制御回路５０が露光制御部４０、測距制御部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００１５】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００１６】
３０は撮影した静止画像や動画像を格納するためのメモリであり、所定枚数の静止画像や所定時間の動画像を格納するのに十分な記憶容量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１７】
３２は適応離散コサイン変換（ＡＤＣＴ）等、公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。
【００１８】
４０は露光制御部であり、絞り機能を備えるシャッター１２を制御する。露光制御部４０は、フラッシュ４８と連携することによりフラッシュ調光機能も有する。４２は撮影レンズ１０のフォーカシングを制御する測距制御部、４４は撮影レンズ１０のズーミングを制御するズーム制御部、４６はバリア１０２の動作を制御するバリア制御部である。４８はフラッシュであり、ＡＦ補助光の投光機能、フラッシュ調光機能も有する。露光制御部４０及び測距制御部４２はＴＴＬ方式を用いて制御されている。上述の通り、Ａ／Ｄ変換器１６からの画像データを画像処理回路２０によって演算した演算結果に基づき、システム制御回路５０が露光制御部４０及び測距制御部４２を制御する。
【００１９】
５０は撮像装置１００全体を制御するシステム制御回路、５２はシステム制御回路５０の動作用の定数、変数、プログラム等を記憶するメモリである。
【００２０】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、撮像装置１００の操作部７０近辺の、視認しやすい、単数あるいは複数箇所に設置されている。また、通知部５４は、その一部の機能が光学ファインダー１０４内に設置されている。
【００２１】
通知部５４の表示内容の内、ＬＣＤなどに表示するものとしては以下のものがある。まず、シングルショット／連写撮影表示、セルフタイマー表示等、撮影モードに関する表示がある。また、圧縮率表示、記録画素数表示、記録枚数表示、残撮影可能枚数表示等の記録に関する表示がある。また、シャッタースピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示なども行われる。
【００２２】
また、通知部５４の表示内容の内、光学ファインダー１０４内に表示するものとしては、合焦表示、手ぶれ警告表示、フラッシュ充電表示、シャッタースピード表示、絞り値表示、露出補正表示などがある。
【００２３】
５６は電気的に消去・記録可能な不揮発性メモリであり、例えばＥＥＰＲＯＭ等が用いられる。
【００２４】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２５】
ここで、これらの操作手段の具体的な説明を行う。
【００２６】
６０はモード切り替えスイッチで、自動撮影モード、プログラム撮影モード、パノラマ撮影モード、動画撮影モード、静止画撮影モード、再生モード、マルチ画面再生・消去モード、ＰＣ接続モード等の各機能モードを切り替え設定することができる。
【００２７】
６２はシャッタースイッチＳＷ１で、不図示のシャッターボタンの第１ストローク（例えば半押し）によりＯＮとなり、ＡＦ処理、ＡＥ処理、ＡＷＢ処理、ＥＦ処理等の動作開始を指示する。
【００２８】
６４はシャッタースイッチＳＷ２で、不図示のシャッターボタンの第２ストローク（例えば全押し）によりＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介して画像データをメモリ３０に書き込み、更に、画像処理回路２０やメモリ制御回路２２での演算を用いた現像処理が行われる。更に、メモリ３０から画像データを読み出し、圧縮・伸張回路３２で圧縮を行い、記録媒体２００あるいは２１０に画像データを書き込む記録処理が行われる。
【００２９】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴ  ＬＣＤ等から成る画像表示部２８への電流供給を遮断することにより、省電力を図ることが可能となる。
【００３０】
６８はクイックレビューＯＮ／ＯＦＦスイッチで、撮影直後に撮影した画像データを自動再生するクイックレビュー機能を設定する。なお、本実施の形態では特に、画像表示部２８をＯＦＦとした場合におけるクイックレビュー機能の設定をする機能を備えるものとする。
【００３１】
７０は各種ボタンやタッチパネルなどから成る操作部である。一例として、電源ＯＮ／ＯＦＦボタン、メニューボタン、セットボタン、マクロボタン、マルチ画面再生改ページボタン、フラッシュ設定ボタン、単写／連写／セルフタイマー切り換えボタンを含む。また、メニュー移動＋（プラス）ボタン、メニュー移動−（マイナス）ボタン、再生画像移動＋（プラス）ボタン、再生画像移動−（マイナス）ボタンを含む。更に、撮影画質選択ボタン、露出補正ボタン、日付／時間設定ボタン、画像削除ボタン、画像削除取消しボタン、プリントボタンなども含む。
【００３２】
８０は電源制御部で、電池検出回路、ＤＣ−ＤＣコンバータ、通電するブロックを切り替えるスイッチ回路等により構成されている。電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３３】
８２、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源部である。
【００３４】
９０及び９４はメモリカードやハードディスク等の記録媒体とのインタフェース、９２及び９６はメモリカードやハードディスク等の記録媒体と接続を行うコネクタである。９８はコネクタ９２及び／或いは９６に記録媒体２００或いは２１０が装着されているか否かを検知する記録媒体着脱検知回路である。
【００３５】
なお、本実施の形態では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００３６】
インタフェース及びコネクタとしては、ＰＣＭＣＩＡ（Personal Computer Memory Card International Association）カードやＣＦ（コンパクトフラッシュ（登録商標））カード等の規格に準拠したものを用いて構成することが可能である。インタフェース９０及び９４、そしてコネクタ９２及び９６をＰＣＭＣＩＡカードやＣＦ（登録商標）カード等の規格に準拠したものを用いて構成した場合、各種通信カードを接続することができる。通信カードとしては、ＬＡＮカードやモデムカード、ＵＳＢ（Universal Serial Bus）カード、ＩＥＥＥ（Institute of Electrical and Electronic Engineers）１３９４カードがある。他にも、Ｐ１２８４カード、ＳＣＳＩ（Small Computer System Interface）カード、ＰＨＳ等がある。これら各種通信カードを接続することにより、他のコンピュータやプリンタ等の周辺機器との間で画像データや画像データに付属した管理情報を転送し合うことができる。
【００３７】
１０２は、撮像装置１００のレンズ１０を含む撮像部を覆う事により、撮像部の汚れや破損を防止する保護装置であるバリアである。
【００３８】
１０４は光学ファインダであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００３９】
１０６はカメラ姿勢検知部であり、撮像装置１００の姿勢状態、すなわち撮像装置１００に設けられている撮像素子１４の撮像面の向きの状態を検出する。姿勢状態を検知するセンサーとしては、例えば重力センサーを使用する。
【００４０】
１０８は日時制御部で、撮像装置１００に内蔵されている時計であるリアルタイムクロック（ＲＴＣ）を使用して時間を計時する。リアルタイムクロックは、撮像装置１００が電源ＯＦＦであっても、内蔵電池から電源を供給して動作する。日時制御部１０８では、リアルタイムクロックから取得した時間を計時し、本実施の形態では、１９８０年１月１日０時０分０秒から２０３０年１２月３１日２３時５９分５９秒を日時の有効範囲として制御するものとする。
【００４１】
１１０は通信回路で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４２】
１１２は通信手段１１０により撮像装置１００を他の機器と接続するコネクタ或いは無線通信の場合はアンテナである。
【００４３】
２００及び２１０はメモリカードやハードディスク等の記録媒体である。この記録媒体２００及び２１０は、それぞれ、半導体メモリや磁気ディスク等から構成される記録部２０２及び２１２、撮像装置１００とのインタフェース２０４及び２１４、撮像装置１００と接続を行うコネクタ２０６及び２１６を備えている。
【００４４】
記録媒体２００及び２１０としては、ＰＣＭＣＩＡカードやコンパクトフラッシュ（登録商標）等のメモリカード、ハードディスク等を用いることができる。また、マイクロＤＡＴ、光磁気ディスク、ＣＤ−ＲやＣＤ−ＷＲ等の光ディスク、ＤＶＤ等の相変化型光ディスク等で構成されていても勿論構わない。
【００４５】
図２は、上記構成を有する撮像装置１００の一例である電子カメラの背面構成を示す斜視図である。
【００４６】
図２において、３０１は電源ＯＮ／ＯＦＦボタン、３０２はシャッターボタン、３０３はセット（ＳＥＴ）ボタン、３０４はメニュー（ＭＥＮＵ）ボタン、３０５は十字ボタン、３０６はプリント（ＰＲＩＮＴ）ボタンであり、操作部７０に対応する。これらのボタンは撮影パラメータやカメラの設定を変更したり、再生モードでは左右ボタンを押して画像を選択したり、また、カメラとプリンタを接続してカメラ側のボタン操作によりプリントを行うとき等に使用する。カメラの撮影画像は画像表示部２８に表示されるが、画像表示部２８は通常液晶ディスプレイ（ＬＣＤ）を使用しているので、以下、ＬＣＤと称する。静止画像及び或いは再生時の動画像もこのＬＣＤ２８に表示される。
【００４７】
次に、上記構成を有する電子カメラにおける、世界時計の設定方法について説明する。上述したように、世界時計は、デジタルカメラの主な使用地となるユーザーの居住地と、該居住地とは時差を有する訪問先（例えば外国）など、互いに時差を有する複数地における時刻を表示するものを指す。
【００４８】
まず、図３〜図６を参照して、世界時計が時刻を表示する複数地として、居住地（自宅）と、訪問先のエリアを設定する処理について説明する。本実施の形態においては、ＬＣＤ２８に表示される設定メニューと、操作部７０などのボタン操作により設定することができる。
【００４９】
まず、電子カメラがＯＦＦであれば、電源ＯＮ／ＯＦＦ３０１を押して電源を投入する。次に、モード切り替えスイッチ６０を操作して撮影モードにする。この後、ＭＥＮＵボタン１０４を押下し、十字ボタン３０５の左ボタンを押すと、図３（ａ）に示す設定メニューがＬＣＤ２８に表示される。世界時計を使用するためには、日付時刻はもちろんのこと、自宅と訪問先のエリア設定を行う必要がある。図３（ａ）に示す例では、自宅の日付時刻がすでに設定されており、エリア設定（TimeZone）の横に自宅を示すアイコンを表示することで、エリア設定（TimeZone）の下の日付時刻（Date/Time）は自宅の時計であることを示している。
【００５０】
図３（ａ）に示す設定メニューで十字ボタン３０５の下ボタンを数回押し、エリア設定（TimeZone）を選択し（図３（ｂ））、ＳＥＴボタン３０３を押すと、図３（ｃ）に示すようなエリア設定（TimeZone）メニューが表示される。ここではまだ自宅のエリア設定をしていないため、まず自宅のエリア設定を促すように自宅エリア設定項目５０２が選択状態となる。ここで、ＳＥＴボタン３０３を押すと、図３（ｄ）に示す自宅のエリア設定画面に入る。なお、自宅のエリア設定が済むまでは、訪問先エリア設定項目５０３が選択できない（ＳＥＴボタン３０３を無効にする）ようにしてもよい。
【００５１】
この画面では、左上に自宅のエリア設定であることを示すアイコンを表示し、自宅の現在時刻を表示する。十字ボタン３０５の左右ボタンを押すと、図３（ｅ）に示すように、所定のエリア単位で世界地図を送り、任意のエリアを自宅のエリアとして選択することができる。画面左下には、現在選択されているエリアにおける代表都市を表示する。なお、図３に示す例では、世界地図により自宅のエリアを選択しているが、エリアの選択方法はこれに限るものではなく、複数の代表都市名を表示して都市名を選択することでエリアを選択するようにしてもよい。
【００５２】
また、図３（ｆ）に示すように、十字ボタン３０５の上下ボタンを押すことにより、自宅のエリアに対するサマータイムのＯＮ／ＯＦＦを設定することができる。サマータイムＯＦＦ状態で十字ボタン３０５の上下ボタンのどちらかを押すとサマータイムＯＮになり、数秒間サマータイムがＯＮになったことを示すガイダンス（この例では「Daylight Saving Time」）を表示する。また、サマータイムＯＮ状態で十字ボタン３０５の上下ボタンのどちらかを押すと、サマータイムＯＦＦとなる。
【００５３】
なお、サマータイムのＯＮ／ＯＦＦ設定に用いるボタンは十字ボタン３０５の上下ボタンに限るものではなく、プリントボタン３０６を用いてもよい。その場合、十字ボタン３０５の上下ボタンを別の操作を行うボタンとして使用することが可能となる。
【００５４】
ここでは一例として、決定した自宅のエリアを図３（ｅ）に示す東京を代表都市とするエリアとし、サマータイムはＯＦＦとする。この状態でＳＥＴボタン３０３を押すと、自宅のエリアとサマータイム設定が決定し、図４（ａ）に示すエリア設定メニューに戻る。
【００５５】
このとき、次は訪問先のエリアを設定するように促すために、訪問先エリア設定項目５０３を選択状態とする。ここでＳＥＴボタン３０３を押すと、図４（ｂ）の訪問先のエリア選択画面に移る。左上には訪問先であることを示すアイコンを表示し、時刻はその訪問先の現在時刻と自宅のエリアからの時差を表示する。訪問先の現在時刻と自宅のエリアからの時差は、例えば以下のようにして求めることができる。まず、世界地図の所定の基準エリアと、その他のエリア間の時差を予めメモリ５２などに記憶しておく。そして、システム制御部５２はこの時差を用いて、自宅エリアと基準エリアの時差を、訪問先のエリアと基準エリアの時差から差し引くことにより、自宅エリアと訪問先エリアとの時差を求める。更に、求めた自宅エリアと訪問先エリアとの時差を自宅エリアの時刻から差し引くことにより、訪問先の現在時刻を求めることができる。
【００５６】
また、画面左下には、現在選択されているエリアにおける代表都市を表示する。訪問先エリアの未選択時には、世界地図によるエリア選択は、自宅のエリアからスタートする。
【００５７】
図４（ｃ）に示すように、自宅のエリア選択時と同様にして十字ボタン３０５の左右ボタンによりエリア単位で世界地図を送ることで任意のエリアを訪問先のエリアとして選択する。なお、図４に示す例では、世界地図により訪問先のエリアを選択しているが、エリアの選択方法はこれに限るものではなく、複数の代表都市名を表示して都市名を選択することでエリアを選択するようにしてもよい。
【００５８】
また、自宅のエリア選択時と同様に、図４（ｄ）に示すように上下ボタン３０５でサマータイムのＯＮ／ＯＦＦも設定できる。サマータイムをＯＮにすると、現在の自宅との時差が＋1時間となる。
【００５９】
ここでは一例として、決定した訪問先のエリアを図４（ｄ）に示すニューヨークを代表都市とするエリアとし、サマータイムはＯＮとする。この状態でＳＥＴボタン３０３を押すと、訪問先のエリアとサマータイム設定が決定し、図４（ｅ）に示すエリア設定メニューに戻る。ここでは訪問先のエリアが設定されたので、図４（ｅ）に示すように、訪問先エリア設定項目５０３には自宅の日付時刻から求められた日付時刻が表示されることになる。また、決定された訪問先のエリアと自宅のエリアとの時差をメモリ５２に記憶しておく。
【００６０】
図４（ｅ）に示すエリア設定メニューにおいて、十字ボタン３０５の上ボタンを２回押すと、図５（ａ）に示す自宅・訪問先選択項目５０１が選択状態となる。自宅・訪問先選択項目５０１を選択している状態で、十字ボタン３０５の左右ボタンを押下することで、自宅、訪問先のいずれかを選択することができる。図５（ｂ）は、図５（ａ）に示す自宅を選択した状態から、十字ボタン３０５の右ボタンを押して訪問先の時刻を選択した様子を示している。このとき、自宅、訪問先のどちらを選択していても、自宅と訪問先の両方の時刻が表示され、閲覧することが可能となる。また、図４（ｄ）に示す例では訪問先ではサマータイムが設定されたので、訪問先エリア設定項目５０３に表示する訪問先アイコン（ここでは飛行機）の横に、サマータイムアイコン（ここでは太陽）を表示する。これにより、サマータイム設定の有無も確認することができる。
【００６１】
上述したようにして、自宅及び訪問先のエリア設定を終了すると、世界時計を使用できるようになる。ここで、図５（ｂ）に示す状態でＭＥＮＵボタン３０４を押下して設定メニューに戻ると、図５（ｃ）に示すように、設定メニューのエリア設定（Time Zone）の横には、訪問先アイコンとサマータイムアイコンが表示される。更に、その下の日付時刻（Date/Time）には訪問先のサマータイム時の時刻が表示される。
【００６２】
なお、自宅・訪問先選択項目５０１の自宅または訪問先を選択してＳＥＴボタン３０３を押すと、以下のような制御が行われる。図５（ａ）に示すように自宅が選択されている場合には図３（ｅ）に示すような地図が、また、図５（ｂ）に示すように訪問先が選択されている場合には、図４（ｄ）に示すような地図が表示され、設定されたエリアの確認を行うことができる。
【００６３】
また、図５（ｄ）に示すように、自宅・訪問先選択項目５０１で自宅を選択した状態でも十字ボタン３０５の上下ボタンで訪問先エリア設定項目５０３を選択することができる。この状態でＳＥＴボタン３０３を押すと、図４（ｄ）に示すような地図が表示されて、訪問先のエリアの確認や訪問先エリアの再設定、サマータイムＯＮ／ＯＦＦの設定を行うことができる。同様に、図５（ｅ）に示すように、自宅・訪問先選択項目５０１で訪問先を選択した状態でも自宅エリア設定項目５０２を選択することが可能である。この状態でＳＥＴボタン３０３を押すと、図３（ｅ）に示すような地図が表示されて、自宅のエリアの確認や自宅エリアの再設定、サマータイムＯＮ／ＯＦＦの設定を行うことができる。このように、自宅・訪問先選択項目５０１で自宅、訪問先のいずれが選択されていても、自宅及び訪問先いずれのエリア選択項目５０２及び５０３のいずれかを選択し、設定されたエリアの確認や再設定、サマータイムＯＮ／ＯＦＦの設定を行うことができる。
【００６４】
図６は、設定メニュー（例えば、図３（ｂ）に示す画面）からエリア設定メニューに入るときの、初期選択状態の決定処理の流れを示すフローチャートである。前述したように、世界時計を使用するためには自宅と訪問先の両方のエリア設定を行う必要がある。そのために、まず、自宅エリアが設定済みかどうかを判断し、設定済みでない場合は（ステップＳ１０１でＮＯ）、自宅エリア設定項目５０２を選択状態（例えば、図３（ｃ）に示す状態）とするように決定する（ステップＳ１０５）。これにより、自宅のエリア設定を促す。
【００６５】
自宅エリアが設定済みで（ステップＳ１０１でＹＥＳ）、訪問先エリアが設定済みでない場合は（ステップＳ１０２でＮＯ）、訪問先エリア設定項目５０３をデフォルトの選択状態（例えば、図４（ａ）に示す状態）とするように決定する（ステップＳ１０４）。これにより、訪問先のエリア設定を促す。
【００６６】
自宅及び訪問先のエリアがそれぞれ設定済みの場合は、世界時計として機能できる状態にあるため、自宅・訪問先エリア選択項目５０１をデフォルトの選択状態（例えば、図５（ａ）に示す状態）とするように決定する（ステップＳ１０３）。これにより、自宅と訪問先のどちらの時刻を選択するかを決定できるようにする。
【００６７】
図７は、ＬＣＤ２８に表示される撮影時に表示される画像の一例を示す。例えば、図５（ｂ）に示すように、自宅・訪問先エリア選択項目５０１で訪問先が選択されている場合、撮影した画像と共に訪問先の時刻が記録される。そのため、ＬＣＤ２８には図７（ｂ）の右下に示すような、訪問先を表すアイコン（この例では飛行機）を表示する。これにより、ユーザーは撮影する時刻が訪問先の時刻で撮影されるということが設定メニューの中を見なくても、このアイコンから理解することができる。なお、本実施の形態ではアイコン表示としているが、例えば都市名を表示するようにしてもよい。また、自宅・訪問先エリア選択項目５０１で自宅が選択されている場合、あるいは、自宅及び訪問先のエリアが未設定でまだ世界時計が機能していない場合には、図７（ａ）に示すように世界時計に関係するアイコンは表示しない。
【００６８】
次に、図８乃至図１０を参照して、日付時刻の設定動作について説明する。日付時刻は、ＬＣＤ２８に表示される図３（ａ）等に示す設定メニューで十字ボタン３０５の上下ボタンを操作することで日付時刻設定（Date/Time）を選択すると、日付時刻の設定動作が開始される。
【００６９】
図８は、日付時刻を設定するエリアに応じた日付時刻設定画面の表示処理の流れを示し、図９は、ＬＣＤ２８に表示される日付時刻設定画面を示し、図１０は、時計リセット時にＬＣＤ２８に表示される画面を示す。
【００７０】
ここでは、日付時刻設定画面では複数の日付時刻を表示するが、画面のほぼ真中に表示される領域をメイン日付時刻表示部と呼び、画面の下方に表示される領域をサブ日付時刻表示部と呼ぶ。また、本実施の形態の電子カメラでは、カメラ内での日付時刻の設定可能範囲は、自宅のサマータイムなしの時刻で2005年1月1日0時0分から2037年12月31日23時59分とする。
【００７１】
図８において、日付時刻設定画面に入ったときに日付時刻が設定範囲内の場合（ステップＳ２０１でＹＥＳ）には、ステップＳ２０２に進んで訪問先エリアが設定済みかどうかを判断する。訪問先エリアが未設定の場合（ステップＳ２０２でＮＯ）、時刻を特定することができないため、図９（ａ）に示すように、メイン日付時刻表示部に自宅アイコンと自宅の日付時刻を表示し、サブ日付時刻表示部には何も表示しない（ステップＳ２０８）。
【００７２】
訪問先エリアが設定済みの場合（ステップＳ２０２でＹＥＳ）は、例えば図５（ａ）等に示す自宅・訪問先選択項目５０１により自宅と訪問先のどちらが選択されているかをチェックする（ステップＳ２０３）。自宅が選択されている場合は、図９（ｃ）に示すように、メイン日付時刻表示部に自宅のアイコンと自宅の日付時刻を表示し（ステップＳ２０４）、サブ日付時刻表示部には訪問先のアイコンと訪問先の日付時刻を表示する（ステップＳ２０５）。訪問先を選択している場合は、図９（ｄ）に示すように、メイン日付時刻表示部に訪問先のアイコンと訪問先の日付時刻を表示し（ステップＳ２０６）、サブ日付時刻表示部には自宅のアイコンと自宅の日付時刻を表示する（ステップＳ２０７）。
【００７３】
また、日付時刻設定画面では、自宅や訪問先の設定に関わらず、図９（ｂ）に示すように、現在選択中の時刻に対して、サマータイムの有無を設定可能であり、サマータイムを設定すると、現在時刻が＋１時間となる。
【００７４】
日付時刻設定画面は日付時刻を変更する画面だが、ここで日付時刻を変更できるのは現在選択中の自宅あるいは訪問先についての時刻のみである。しかし、図９（ｅ）に示すように自宅の時刻を修正すると、システム制御部５２は、修正された時刻から上述したようにしてメモリ５２に記憶しておいた訪問先の時差を差し引き、サマータイムが設定されたいる場合にはその調整を行い、訪問先の時刻を修正する。このように、自宅の時刻を修正した同じ時間分、訪問先の時刻が連動して自動的に修正される。同様に、図９（ｆ）に示すように訪問先の時刻を修正すると、それに連動して自宅の時刻も自動的に修正される。
【００７５】
また、ステップＳ２０１において日付時刻設定画面に入ったときに日付時刻が設定範囲を越えてしまった場合、あるいは、カメラ初回起動時等の理由で日付時刻が未設定状態である場合には、日付設定範囲外であると判断する（ステップＳ２０１でＮＯ）。そして図１０（ａ）に示すようなゼロリセットされた日付時刻を表示する（ステップＳ２０９）。既にエリア設定により自宅と訪問先のエリア設定を行っていた場合には、カメラの時計がゼロリセットされると、既に行ったエリア設定内容をすべてクリアする。また、時計がゼロリセットされたままエリア設定メニューに入ると、図１０（ｂ）に示すように、エリア設定をすべてクリアする。この状態で自宅のエリア選択画面に入り、世界地図を表示することは可能だが、時計がゼロリセットされた状態の場合は、選択したエリアは保存されない。
【００７６】
図１１は、日付時刻設定可能範囲を示す。本実施の形態の電子カメラでは、前述した通り、日付時刻設定可能な範囲を自宅サマータイムなしの時刻で2005年1月1日0時0分から2037年12月31日23時59分とする（図１１（ａ））。そのため、日付設定メニューでは時刻修正を行うことができるが、自宅サマータイムなしの時刻に換算して設定可能な範囲内でのみの修正が可能である。
【００７７】
図１２は、日付時刻設定動作において、日付時刻設定可能範囲を決定し、表示を更新する処理の流れを示す。日付時刻設定画面でメイン日付時刻表示部に表示された年、月、日、時間、分のカウンタを動かし、利用者が時刻を設定する場合、利用者が設定しようとしたカウンタの増減を実際に反映する前に、その時刻が設定可能な範囲であるかをチェックする。範囲内であれば、カウンタを利用者が設定した値に更新し、範囲外であれば、カウンタの表示の更新を行わない。
【００７８】
まず、ステップＳ３０１において、利用者がカウンタを設定しようとする値をSettingTimeに記録し、現在選択されている時刻が自宅か訪問先かをチェックする（ステップＳ３０２）。自宅の場合は、CurrentTimeにSettingTimeをそのまま代入し（ステップＳ３０４）、自宅のサマータイム設定の有無をチェックする（ステップＳ３０５）。サマータイム設定有りの場合は、CurrentTimeからサマータイム分の１時間を引く（ステップＳ３０６）。
【００７９】
一方、選択されている時刻が訪問先だった場合は、CurrentTimeにSettingTimeから時差分を引いたものを代入し（ステップＳ３０３）、訪問先のサマータイム設定の有無をチェックする（ステップＳ３０５）。なお、ここでいう時差とは、訪問先サマータイム設定なし時刻と自宅サマータイム設定なし時刻の時差である。サマータイム設定有りの場合は、CurrentTimeからさらにサマータイム分の1時間を引く（ステップＳ３０６）。
【００８０】
このように、現在選択されている自宅または訪問先の時刻から、時差分とサマータイム分の時刻を引き、自宅でのサマータイムなし時刻（CurrentTime）を取得し、それが設定可能範囲内であるかをチェックする（ステップＳ３０７）。設定範囲内であった場合は、カウンタをSettingTimeの時刻に更新し（ステップＳ３０８）、設定範囲外だった場合はカウンタの表示更新を行わない（ステップＳ３０９）。このような処理を行うことにより、時差やサマータイムが設定されている場合の設定可能な範囲が決まる。
【００８１】
上記の処理によれば、自宅で且つサマータイムありの場合は、図１１の（ｂ）に示すように、設定可能範囲は2005/01/01 01:00から2038/01/01 00:59となる。また、例えば、選択エリアが訪問先で、自宅から時差が＋５時間でサマータイムなしの場合は、図１１（ｃ）に示すように、訪問先の時刻で2005/01/01 05:00から2038/01/01 04:59が設定可能範囲となる。また、選択エリアが訪問先で、自宅から時差がー５時間でサマータイムありの場合は、図１１（ｄ）に示すように、訪問先の時刻で2004/12/31 21:00から2037/12/31 20:59が設定可能範囲となる。
【００８２】
なお、本実施の形態では、設定可能範囲を自宅で且つサマータイム無しの場合に2005/01/01 00:00から2037/12/31 23:59としたが、これに限るものではなく適宜変更可能であることは言うまでもない。
【００８３】
上記の通り、本実施の形態によれば、自宅や訪問先の日付時刻を同じ画面で同時に確認することが可能になる。
【００８４】
また、自宅・訪問先のエリア設定（あるいは都市名）を世界地図から選択して行う場合に、サマータイム等の、表示中の地図とは関係ない設定を同じ設定画面から簡単に行うことができるようになるため、操作性が向上する。
【００８５】
図１３は、自宅・訪問先選択項目５０１等で訪問先を設定した状態で撮影した画像を再生した例を示す図である。上記のようにして設定した訪問先の日付時刻で撮影した画像を再生する際に、再生画像の情報として、訪問先エリアを示すアイコンを表示する。このように訪問先を示すアイコンを表示することで、ユーザーは撮影した日付時刻が訪問先のものであることを容易に認識することができる。
【００８６】
また、上記実施の形態では、図７に示すように訪問先に設定された場合にのみ、撮影時に訪問先エリアを示すアイコンを表示した。しかしながら、本発明はこれに限るものではなく、図１４（ａ）に示すように、自宅に設定された状態で画像を撮影するときに、自宅エリアであることを示すアイコンを表示するようにしてもよい。なお、図１４（ｂ）はサマータイムが有効になっている場合のアイコンの例を示している。
【００８７】
また、自宅に設定された状態で撮影した画像を再生するときは、図１４（ｃ）に示すように再生画像の情報として、自宅を示すアイコンを表示するようにしてもよい。また、図１４（ｄ）はサマータイムが有効になっている場合のアイコンの例を示している。
【００８８】
もちろん、訪問先でサマータイムが有効になっている場合は、図７（ｂ）及び図１３に示す訪問先アイコンと一緒にサマータイムアイコンを表示することも可能である。
【００８９】
また、図３（ｅ）及び図４（ｄ）に示すように、十字ボタン３０５の左右ボタンで世界地図を送りエリアを選択するときに、十字ボタン３０５の上下ボタンを押すことで、次のように画面が遷移するようにしてもよい。自宅エリア選択画面（図３（ｅ））の表示時には訪問先エリア選択画面（図４（ｄ））に移り、訪問先エリア選択画面（図４（ｄ））の表示には自宅エリア選択画面（図３（ｅ））に移る。その場合、サマータイムＯＮ／ＯＦＦ設定に用いるボタンとして、十字ボタン３０５の上下ボタン以外のボタン（例えばプリントボタン３０６など）に割り振っておく必要がある。
【００９０】
なお、上記実施の形態では、自宅と訪問先の２つのエリアの日付時刻を設定する場合について説明したが、本発明は２つのエリアに限るものではなく、３箇所以上のエリアについて設定するようにしてもよい。その場合、例えば、海外旅行で３国以上周遊する場合に、予め日付時刻を設定しておくことが可能となるため、利便性が向上する。
【図面の簡単な説明】
【００９１】
【図１】本発明の実施の形態における撮像装置の構成を示すブロック図である。
【図２】本発明の実施の形態における電子カメラの背面を示す斜視図である。
【図３】本発明の実施の形態におけるＬＣＤに表示される自宅のエリア選択時の設定画面を示す図である。
【図４】本発明の実施の形態におけるＬＣＤに表示される訪問先エリア選択時の設定画面を示す図である。
【図５】本発明の実施の形態におけるＬＣＤに表示される自宅・訪問先の選択時の選択画面を示す図である。
【図６】本発明の実施の形態における設定メニューからエリア設定に入るときに選択する項目の決定処理の流れを示すフローチャートである。
【図７】本発明の実施の形態におけるＬＣＤに表示される撮影時のエリア情報の表示例を示す図である。
【図８】本発明の実施の形態における日付時刻設定画面でのエリア設定内容に応じた画面表示の処理の流れを示すフローチャートである。
【図９】本発明の実施の形態におけるＬＣＤに表示される日付時刻設定画面を示す図である。
【図１０】本発明の実施の形態におけるＬＣＤに表示される時計リセット時の画面を示す図である。
【図１１】本発明の実施の形態における日付時刻設定可能範囲を示す。
【図１２】本発明の実施の形態における日付時刻の設定可能範囲を決定し、表示を更新する処理の流れを示すフローチャートである。
【図１３】本発明の実施の形態における訪問先時刻で撮影した画像を再生する場合のエリア情報の表示例を示す図である。
【図１４】本発明の実施の形態における自宅エリアを選択した場合の撮影時及び画像再生時のエリア情報の表示例を示す図である。
【符号の説明】
【００９２】
１０：撮影レンズ、１２：シャッター、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮伸長回路、４０：露光制御部、４２：測距制御部、４４：ズーム制御部、４６：バリア制御部、４８：フラッシュ、５０：システム制御部、５２：メモリ、５４：通知部、５６：不揮発性メモリ、６０：モード切り替えスイッチ、６２：シャッタースイッチＳＷ１、６４：シャッタースイッチＳＷ２、６６：画像表示ＯＮ／ＯＦＦスイッチ、６８：クイックレビューＯＮ／ＯＦＦスイッチ、７０：操作部、８０：電源制御部、８２、８４：コネクタ、８６：電源、９０、９４：入出力Ｉ／Ｆ、９２、９６：コネクタ、９８：記録媒体着脱検知回路、１００：撮像装置、１０２：バリア、１０６：カメラ姿勢検知部、１０８：日時制御部、１１０：通信回路、１１２：コネクタ（アンテナ）、２００、２１０：記録媒体、２０２、２１２：記録部、２０４、２１４：インタフェース、２０６、２１６：コネクタ、３０１：電源ＯＮ／ＯＦＦボタン、３０２：シャッターボタン、３０３：セット（ＳＥＴ）ボタン、３０４：メニュー（ＭＥＮＵ）ボタン、３０５：十字ボタン、３０６：プリント（ＰＲＩＮＴ）ボタン
【図１】
2007037052.tif 000003
【図２】
2007037052.tif 000004
【図３】
2007037052.tif 000005
【図４】
2007037052.tif 000006
【図５】
2007037052.tif 000007
【図６】
2007037052.tif 000008
【図７】
2007037052.tif 000009
【図８】
2007037052.tif 000010
【図９】
2007037052.tif 000011
【図１０】
2007037052.tif 000012
【図１１】
2007037052.tif 000013
【図１２】
2007037052.tif 000014
【図１３】
2007037052.tif 000015
【図１４】
2007037052.tif 000016